(57)【要約】【課題】子供等が犯罪に巻き込まれるのを防止、及び犯罪の立証が迅速に行える携帯システムを提供する。【解決手段】耳掛けアダプタ４１０は耳に装着可能なようになっている。耳掛けアダプタ４１０は有線若しくは無線を介して携帯電話３００と電気的につながっている。この耳掛けアダプタ４１０のケース３２７の耳の外耳道に位置する周囲には開口４１３が設けられており、装着時においても外部の音がこの開口４１３を通じて聞こえるようになっている。保持部材４１５は、嵌合固定部材４１７との間で着脱自在に止められている。更に、緊急通報スイッチ３５２が耳掛けアダプタ４１０のケース３２７の底面に配設されている。アダプタカメラ３２４は耳に装着時に人の目線である前方を撮像可能なようになっている。【選択図】図３６
2011172273.tif 000002
【特許請求の範囲】
【請求項１】
犯罪の遭遇時に使用者が身につけつつ撮像した映像をセンターや緊急連絡先等の送信先に送信し保存することで犯罪の遭遇時の様子を記録する携帯システムであって、
取り付け角度調整のための回動機構若しくは広角レンズを有するカメラと、
該カメラが配設されたアダプタと、
前記カメラで撮影された映像データを送信する送信手段を有する携帯電話と、
該送信手段で送信された映像データを送信先で保存する保存手段と、
前記アダプタを前記使用者に装着するアダプタ装着手段とを備え、
前記アダプタが使用者に対して装着されているときに前記カメラで撮像された映像を前記携帯電話に伝送する伝送手段と、
該伝送手段で伝送された映像を前記携帯電話のケース又は前記携帯電話とは独立したケースに配設された画面に表示する表示手段を備え、
該表示手段で表示された映像を基に前記使用者が前記カメラの取り付け角度調整又は前記アダプタの前記使用者に対する取り付け位置の調整が可能で、前記使用者の前方方向の映像が撮像可能であることを特徴とする携帯システム。
【請求項２】
前記携帯電話のケース又は前記携帯電話とは独立して配設されたケースには該ケースを前記使用者に対し装着自在とするケース装着手段を備え、
前記アダプタは、前記ケース内に収納及び取り外し自在であり、前記カメラは該ケース内にアダプタが収納されたときに該ケースより露出された位置に配設され、前記アダプタが前記ケース内に収納された状態で前記ケース装着手段により該ケースが使用者に装着されたときに前記カメラは該使用者の前方方向の映像を撮像可能であることを特徴とする請求項１記載の携帯システム。
【請求項３】
前記携帯電話のケース又は前記携帯電話とは独立したケースに配設されたケーススピーカ及びマイクを備え、
該ケーススピーカには耳を当てることなく前記ケースが前記使用者に対し装着された位置から該ケーススピーカを通じて通常の会話ができる程度の音量で相手の声を聞くことができ、
前記マイクには直接口元を近づけることなく該マイクを通じて通常の会話ができることを特徴とする請求項１又は請求項２記載の携帯システム。
【請求項４】
前記アダプタ及び／又は前記ケースに配設された緊急通報用のスイッチを備え、
該緊急通報用のスイッチが操作されたとき前記ケーススピーカより警報音が発せられることを特徴とする請求項３記載の携帯システム。
【請求項５】
前記アダプタ装着手段は前記アダプタの外側面に配設され、該アダプタの内側面にアダプタスピーカを有し、
前記携帯電話のケースと前記アダプタとは接続及び取り外しが自在であり、接続したときに前記アダプタスピーカを受話用スピーカとして一つの一体化された携帯電話として機能することを特徴とする請求項１記載の携帯システム。
【請求項６】
緊急通報用のスイッチを前記アダプタ又は前記携帯電話のケース又は前記携帯電話とは独立して配設されたケースに備え、
該緊急通報用のスイッチは、前記アダプタ装着手段又は前記ケース装着手段の上方で前記アダプタ装着手段又は前記ケース装着手段がポケットに装着されたときに該ポケットより露出される位置に配設され、
前記緊急通報用のスイッチが操作されたときに警報音を発するケーススピーカを前記ケースに有し、かつ、該ケーススピーカが前記アダプタ装着手段又は前記ケース装着手段の上方で前記アダプタ装着手段又は前記ケース装着手段がポケットに装着されたときに該ポケットより露出される位置に配設されたことを特徴とする請求項１〜５のいずれか１項に記載の携帯システム。
【請求項７】
緊急通報用のスイッチを前記アダプタ又は前記携帯電話のケース又は前記携帯電話とは独立して配設されたケースに備え、
該緊急通報用のスイッチが動作されたときに映像データの新たな更新がされないようにすると共に該映像データの保存時間が延長されることを特徴とする請求項１〜６のいずれか１項に記載の携帯システム。
【発明の詳細な説明】
【技術分野】
【０００１】
本発明は携帯システムに係わり、特に子供等が犯罪に巻き込まれるのを防止、及び犯罪の立証が迅速に行える携帯システムに関する。
【背景技術】
【０００２】
従来、安全システムにおいて、特許文献１に記載した発明が知られている。この安全システムでは、通常時には耳掛けアダプタにより再生のされた音楽等を聞いたり、自分の目線でカメラによりとらえた画像を相手側にも送り、情報を共有しつつ会話することが出来る一方で、緊急時にはこの耳掛けアダプタに搭載されたカメラ及びマイクにより現場の様子等をセンター側で即時に把握したりデータ保存することができる。また、緊急時の通報もスイッチにより簡単に出来るようになっている。
【先行技術文献】
【特許文献】
【０００３】
【特許文献１】特開２００４−３１３５３２号公報
【発明の概要】
【発明が解決しようとする課題】
【０００４】
ところで、上述した安全システムでは耳掛けアダプタにより耳が密封状態になるため、外界の音が一部遮断され、注意力に乏しい子供が帰宅途中に利用するような場合には、車や自転車等の警笛や人の声等が聞きにくくなる恐れがあった。
また、耳掛けアダプタをずっと着用することは子供によっては耳に負担がかかったり趣味の問題から装着されないおそれもある。
【０００５】
本発明はこのような従来の課題に鑑みてなされたもので、子供等が犯罪に巻き込まれるのを防止、及び犯罪の立証が迅速に行える携帯システムを提供することを目的とする。
【課題を解決するための手段】
【０００６】
このため本発明（請求項１）は、犯罪の遭遇時に使用者が身につけつつ撮像した映像をセンターや緊急連絡先等の送信先に送信し保存することで犯罪の遭遇時の様子を記録する携帯システムであって、取り付け角度調整のための回動機構若しくは広角レンズを有するカメラと、該カメラが配設されたアダプタと、前記カメラで撮影された映像データを送信する送信手段を有する携帯電話と、該送信手段で送信された映像データを送信先で保存する保存手段と、前記アダプタを前記使用者に装着するアダプタ装着手段とを備え、前記アダプタが使用者に対して装着されているときに前記カメラで撮像された映像を前記携帯電話に伝送する伝送手段と、該伝送手段で伝送された映像を前記携帯電話のケース又は前記携帯電話とは独立したケースに配設された画面に表示する表示手段を備え、該表示手段で表示された映像を基に前記使用者が前記カメラの取り付け角度調整又は前記アダプタの前記使用者に対する取り付け位置の調整が可能で、前記使用者の前方方向の映像が撮像可能であることを特徴とする。
また、本発明（請求項２）は、前記携帯電話のケース又は前記携帯電話とは独立して配設されたケースには該ケースを前記使用者に対し装着自在とするケース装着手段を備え、前記アダプタは、前記ケース内に収納及び取り外し自在であり、前記カメラは該ケース内にアダプタが収納されたときに該ケースより露出された位置に配設され、前記アダプタが前記ケース内に収納された状態で前記ケース装着手段により該ケースが使用者に装着されたときに前記カメラは該使用者の前方方向の映像を撮像可能であることを特徴とする。
更に、本発明（請求項３）は、前記携帯電話のケース又は前記携帯電話とは独立したケースに配設されたケーススピーカ及びマイクを備え、該ケーススピーカには耳を当てることなく前記ケースが前記使用者に対し装着された位置から該ケーススピーカを通じて通常の会話ができる程度の音量で相手の声を聞くことができ、前記マイクには直接口元を近づけることなく該マイクを通じて通常の会話ができることを特徴とする。
更に、本発明（請求項４）は、前記アダプタ及び／又は前記ケースに配設された緊急通報用のスイッチを備え、該緊急通報用のスイッチが操作されたとき前記ケーススピーカより警報音が発せられることを特徴とする。
更に、本発明（請求項５）は、前記アダプタ装着手段は前記アダプタの外側面に配設され、該アダプタの内側面にアダプタスピーカを有し、前記携帯電話のケースと前記アダプタとは接続及び取り外しが自在であり、接続したときに前記アダプタスピーカを受話用スピーカとして一つの一体化された携帯電話として機能することを特徴とする。
更に、本発明（請求項６）は、緊急通報用のスイッチを前記アダプタ又は前記携帯電話のケース又は前記携帯電話とは独立して配設されたケースに備え、該緊急通報用のスイッチは、前記アダプタ装着手段又は前記ケース装着手段の上方で前記アダプタ装着手段又は前記ケース装着手段がポケットに装着されたときに該ポケットより露出される位置に配設され、前記緊急通報用のスイッチが操作されたときに警報音を発するケーススピーカを前記ケースに有し、かつ、該ケーススピーカが前記アダプタ装着手段又は前記ケース装着手段の上方で前記アダプタ装着手段又は前記ケース装着手段がポケットに装着されたときに該ポケットより露出される位置に配設されたことを特徴とする。
更に、本発明（請求項７）は、緊急通報用のスイッチを前記アダプタ又は前携帯電話のケース又は前記携帯電話とは独立して配設されたケースに備え、該緊急通報用のスイッチが動作されたときに映像データの新たな更新がされないようにすると共に該映像データの保存時間が延長されることを特徴とする。
また、本発明は、撮影するカメラと、該カメラが配設されたアダプタと、前記カメラで撮影された画像を送信する送信手段と、前記アダプタを耳に装着する耳装着手段とを備え、前記アダプタの外耳道に位置する部分は開放され、外部の音が遮音されないことを特徴とされてもよい。
【０００７】
アダプタの外耳道に位置する部分は開放されているため、装着時においても車の音、人の声等、アダプタの外部の音が遮音されずに聞こえる。従って、安全である。
【０００８】
更に、本発明は、撮影するカメラと、該カメラが配設されたアダプタと、前記カメラで撮影された画像を送信する送信手段と、前記アダプタをポケット、衣服、又は鞄に装着するアダプタ装着手段を備えて構成されてもよい。
【０００９】
以上により、簡単にアダプタを衣服、ポケット、鞄等に装着できるため学童等にとって持ち運びされ易い。従って、学童等の安全を確保できる。
更に、本発明は、撮影するカメラと、該カメラが配設されたアダプタと、前記カメラで撮影された画像を送信する送信手段と、警報音を鳴らすスピーカを有するケースとを備えて構成されてもよい。
学童等が緊急の場合には、スピーカから警報音を鳴らす。このことにより、学童等の安全を一層確保できる。
【発明の効果】
【００１０】
以上説明したように本発明によれば、アダプタの外耳道に位置する部分は開放して構成したので、装着時においても車の音、人の声等、アダプタの外部の音が遮音されずに聞こえる。従って、安全である。
【００１１】
また、アダプタは衣服、ポケット、鞄等に装着自在としたので、学童等にとって持ち運びされ易い。従って、学童等の安全を一層確保できる。
【図面の簡単な説明】
【００１２】
【図１】マスクユニットの側面図
【図２】マスクユニットの正面図
【図３】アイカバー展開図
【図４】マスク正面図
【図５】マスク展開図
【図６】携帯電話の図
【図７】携帯電話へのマスク装着図
【図８】図７中のＡーＡ矢視線断面図
【図９】通報システムのブロック図
【図１０】携帯電話を装着したマスクユニットの使用図
【図１１】空気口付き携帯電話の表面図
【図１２】空気口付き携帯電話の裏面図
【図１３】スペア付きマスクユニットの側面図
【図１４】マスク及びフィルターカートリッジの携帯電話への装着図
【図１５】第２実施形態の装着図
【図１６】第３実施形態の側面図
【図１７】立体マスクと携帯電話の組みたて及び装着図
【図１８】ケーブルによってつながれた、マスクと携帯電話の図
【図１９】ボタン型電池と通信器を内蔵したマスクユニットの側面図
【図２０】無線交信時の概念図
【図２１】第５実施形態の側面図
【図２２】第６実施形態のシステムブロック図
【図２３】センターの処理ステップのフローチャート図
【図２４】災害現場の周辺地図表示例
【図２５】建物内で火災が発生したときの現場状況表示例
【図２６】第７実施形態のシステムブロック図
【図２７】第８実施形態の全体図
【図２８】マスクに耳掛けアダプタを装着した側面図
【図２９】アダプタ装着用フィルター箱の図
【図３０】耳掛けアダプタをアダプタ装着用フィルター箱に装着したときの断面図
【図３１】耳掛けアダプタの通信機能のブロック図
【図３２】耳掛けアダプタが外部端子を介して携帯電話と接続される例
【図３３】アダプタの上面図
【図３４】同上右側面図
【図３５】同上正面図
【図３６】同上左側面図
【図３７】携帯電話の画面例
【図３８】円板状部材を開口に収納自在とした例
【図３９】板状部材をスライドさせることで開口を覆うようにした例
【図４０】保持部材を外したときの耳掛けアダプタの外観図
【図４１】保持部材の端部に胸ポケット装着用クリップを取り付けた例（側面図）
【図４２】同上（正面図）
【図４３】同上（背面図）
【図４４】保持部材に安全ピンを取り付けた例（背面図）
【図４５】同上（正面図）
【図４６】同上（上面図）
【図４７】保持部材にベルト固定具を取り付けた例（背面図）
【図４８】同上（正面図）
【図４９】同上（上面図）
【図５０】本発明の第１０実施形態であるアダプタ収納ケースの構成図（正面図）
【図５１】係止部材回りの簡略構造図
【図５２】同上（背面図）
【図５３】同上（上面図）
【図５４】同上（側面図）
【図５５】耳掛けアダプタとアダプタ収納ケース及び携帯電話との関係を示す図
【図５６】耳掛けアダプタが収納された携帯電話の正面図
【図５７】同上（側面図）
【図５８】携帯電話を開いたときの様子
【図５９】本発明の実施形態の別例
【発明を実施するための形態】
【００１３】
以下、本発明の第１実施形態について説明する。図１は、本発明の第１実施形態であるマスクユニット１の側面図であり、図２はその正面図である。マスクユニット１は、折り畳まれたマスク３をアイカバー５が覆うように構成されており、展開したアイカバー５の様子を図３に、マスク３の様子を図４に示す。
【００１４】
図３に示すように、アイカバー５は一部材からなるめがね状であり、装着時に顔に密着する平面部５Ａと、図１に示すように平面部５Ａに対して外側に凸に湾曲した、皿状の眼周部５Ｂからなっている。更に、アイカバー５の眼周部５Ｂを囲うように粘着部１５が配設されている。
【００１５】
アイカバー５の両端部には、開封片１０が配設されており、使用時に引っ張ることでアイカバー５を展開し、マスク３と分離することができるようになっている。
【００１６】
なお、アイカバー５とマスク３を分離するまでは、アイカバー５によってマスク３は密封された状態となっており、フィルター８が外気と触れて吸湿することを防止できるようにもなっている。
【００１７】
アイカバー５の中央下部は切り欠かれており、ここに使用者の鼻を当て、眼部周囲に粘着部１５を押し当てることによって装着できるようになっている。
【００１８】
図１及び図４に示すように、マスク３は、マスク本体６と、フィルター箱７から構成されている。フィルター箱７にはフィルター８が収納されており、通気口としてフィルター開口部９Ａ、９Ｂ、９Ｃが設けられている。
【００１９】
開口部９Ｃによって外部より空気を取り入れ、フィルター８を介した空気を開口部９Ａ、９Ｂより、鼻及び口へと供給できるようになっている。
【００２０】
フィルター８は、活性炭の多層構造となっており、火災等の災害時における防塵及び防毒の機能を有している。
【００２１】
開封片１０を引っ張り、アイカバー５を分離しただけでは、マスク本体６は折り畳まれてフィルター箱７に付設している状態となっている。このとき、マスク本体６の外部には装着ひも２１が折り畳まれている。
【００２２】
マスク３を使用するときには、この装着ひも２１をマスク本体６よりはがして広げ、耳に掛けて使用するようになっている。装着ひも２１は、部分的にアイカバー５の粘着部１５と仮止めされており、アイカバー５とマスク３が分離されるときにマスク本体６より引きはがされ、装着し易くなるようになっている。
【００２３】
図４の破線で示すように、装着ひも２１を広げることで、マスク本体６を展開することができるようになっている。図５はそのときの様子である。なお、装着ひもは細いゴム状でもよいし、幅広のバンド状でもよい。
【００２４】
展開したマスク本体６には、鼻及び口を囲むように、口部粘着部２７が配設されている。口部粘着部２７を使用者の顔に押しつけることで、鼻及び口周囲とマスク３を密着させることが可能となっている。
【００２５】
フィルター箱７の開口部９のうち、外部より空気を取り入れる開口部９Ｃは、マスク本体６と接触しない位置に開口しているが、供給口である開口部９Ａ、９Ｂはマスク本体６の、口部粘着部２７によって囲まれた部分とのみ連通するようになっている。フィルター８を通った空気のみが供給されるように、マスク本体６の素材は外気を透過しない気密性シートが用いられている。
【００２６】
しかしながら、マスク本体６にもフィルター機能を持たせることで、通気性を有する素材を用いることも可能である。
【００２７】
また、マスク本体６に水分を供給するための水袋等を配設し、使用時にマスク本体６を湿らせるような機構を設けることで、機密性やフィルター機能を有しない素材を用いることも可能となる。
【００２８】
本実施形態において、マスクユニット１はアイカバー５及びマスク３のみでの使用も可能であるが、図６に示すような、携帯電話３０と連動して使用することも可能となっている。携帯電話３０と連動させることで、緊急時の通報及び通話が、自動で素早くかつハンドフリーで行えるようになっている。なお、携帯電話３０は、折りたたみ式に限ったものではない。
【００２９】
図６（ａ）は携帯電話３０の側面図であり、図６（ｂ）は正面図である。そして、マスクユニット１に配設されたフィルター箱７が、携帯電話３０と連結するようになっている。携帯電話３０にマスク３が装着された状態を図７に示す。
【００３０】
携帯電話３０の上面両端部には、フィルター箱７と嵌合するための嵌合溝３１が刻設されている。図８は、図７中のＡ−Ａ矢視線断面図であり、携帯電話３０とフィルター箱７が嵌合した状態を示している。
【００３１】
嵌合溝３１の図６中下端部には中央に向けて凸状の板バネ３３が配設されている。また、携帯電話３０の図６中下端部にはスイッチ穴３５が開口している。
【００３２】
図５において、フィルター箱７の図中下方両側部には、切り欠き２３が形成されている。フィルター箱７は、図６中上方より下方に向けて携帯電話３０に挿入されるようになっており、切り欠き２３には携帯電話３０の板バネ３３が嵌合できるようになっている。
【００３３】
図９に、携帯電話３０にマスク３が装着されたときの、通報システムのブロック図を示す。図５においてフィルター箱７の図中下端部には突設棒２５が配設されており、フィルター箱７が完全に挿入されると、携帯電話３０のスイッチ穴３５に嵌入し、図９に示す通報スイッチ３７が入るようになっている。
【００３４】
通報スイッチ３７が入ると特定のセンターや消防署といった、指定の電話番号の呼出回路に通電し、通信回路に接続するようになっている。通信回路からは音声のみでなく図７に示すように、携帯電話３０に内蔵された携帯電話カメラ３９によって現場の様子を映像で送ることも可能となっている。また、同時に、携帯電話３０よりフラッシュ及び間欠音を発生する回路にも通電するようになっている。
【００３５】
なお、マスク３におけるフィルター８の取り付け位置は、マスク本体６の内側にしてもよい。その場合、口、鼻等の形状に合わせた形とし、隙間から外気の進入を防ぐことが望ましい。
【００３６】
次に、本実施形態の作用について説明する。マスクユニット１は、折り畳まれた状態で、軽いコンパクトな箱型であり、鞄やポケット等に収納可能である。また、今日、携帯電話３０も各人が常に携帯しているものの一つである。従って、常備することが負担にならず、常に持ち歩くことが可能である。
【００３７】
図１０は、アイカバー５及び携帯電話と連動させたマスク３を装着したときの様子を示す。
【００３８】
使用者は図１の矢印で示すように、開封片１０を両側へと引っ張りアイカバー５を展開し、マスクユニット１を開封する。アイカバー５の中心部の切り欠きによって使用者はその中心を容易に判断できるため、その部分を各人の鼻部の中央に合わせてアイカバー５を顔へと押し当て、粘着部１５によって接着させる。アイカバー５の眼周部５Ｂは突設しているため、眼部に触れて邪魔になることはない。
【００３９】
次に、マスク３を携帯電話３０に装着させる。フィルター箱７を、携帯電話３０に挿入すると、フィルター箱７の切り欠き２３に携帯電話３０の板バネ３３が嵌合し、固定される。同時に、フィルター箱７の下端に突設した突設棒２５は携帯電話３０に開口したスイッチ穴３５へと嵌入し、通報スイッチ３７が通電する。
【００４０】
フィルター８は、空気を透過し、かつ粉塵を吸着するために、多孔質である活性炭を用いる。更に、一酸化炭素酸化触媒であるホプカライトを担持した層を介在させ、一酸化炭素を無毒化する。また、金属酸化物担持層により、各種有毒ガスを吸着する。
【００４１】
なお、粉塵の吸着には、多孔質セラミックス粉末や、多孔質高分子膜を用いてもよい。有毒ガスの吸着には、金属酸化物担持活性炭の他、ゼオライト等を用いてもよいし、ゼオライトを活性炭に担持してもよい。
【００４２】
通報スイッチ３７が通電すると、自動で、図９に示すように呼出回路が作動して所定機関への通報が行われる。また、携帯電話３０に内蔵された、携帯電話カメラ３９によって現場の周辺を撮影し、送信することで、センター側で現場の様子を把握することができる。更に、ＧＰＳ機能等により、自動で現場の位置検出を素早く確実に行うこともできる。更に、検出した位置情報を住所表示に変換し、迅速な救助が可能となる。
【００４３】
また、使用者の装着した携帯電話３０からフラッシュや間欠音を発生させることで、煙等で視界の悪い現場であったり、本人が倒れてしまっていて助けを求めることができないといった場合であっても、被災者の発見を容易にできる。
【００４４】
フィルター箱７を携帯電話３０へ挿入した後に、マスク本体６を展開する。マスク本体６内に収納されている装着ひも２１は、マスクユニット１の展開時に、アイカバー５の粘着部１５によってその一部が引き出されているため、容易にマスク本体６より引き出すことができる。
【００４５】
図５に示す状態まで展開した後に、装着ひも２１を耳に掛け、使用者は各人の適当な位置において、鼻及び口周辺を密封するように、マスク本体６を顔へと押し当て、口部粘着部２７によって接着させる。なお、携帯電話３０を使用せず、マスク３単体で使用することも可能である。
【００４６】
以上により、使用者は有毒ガスや有毒物質等から眼及び呼吸器を保護しつつ避難等行うことが可能となる。更に、携帯電話３０と連動させることで、非常時においても確実かつ速やかに所定機関への通報が行え、迅速な救助が可能となる。
【００４７】
通報が自動で行われるため、通報時間が短縮され、また、両手があくことで、素早い避難の他、現場の消火活動や救助活動を行うことも可能になる。
【００４８】
また、被災者がパニック状態であり、正確な状況判断の行えない場合や、土地勘がない場合であっても、現場の特定を正確に行うことが可能である。
【００４９】
次に、本発明の第２実施形態について説明する。図１１は、本実施形態で用いる空気口付き携帯電話４０の表面図であり、図１２はその裏面図である。空気口付き携帯電話４０の両面、４０Ａ面、４０Ｂ面には空気口４１が設けられている。
【００５０】
携帯電話４０の内部は一部空洞となっており、表面空気口４１Ａと、裏面空気口４１Ｂは、ヒンジ部４２を介して連通している。
【００５１】
図１３は、本実施形態における、スペア付きマスクユニット４３の側面図であり、マスク３とともにフィルターカートリッジ４５が内包されている様子を示す。フィルターカートリッジ４５の内部には、フィルター８が収納されている。なお、フィルターカートリッジ４５は１枚に限らず複数枚収納することも可能となっている。
【００５２】
スペア付きマスクユニット４３の展開方法は、第１実施形態と同様とするが、フィルターカートリッジ４５はマスク３に仮止めされており、開封時の衝撃によって飛び出すことがないが、開封後はわずかな力で簡単に引きはがせるようになっている。
【００５３】
図１４は、空気口付き携帯電話４０にマスク３及びフィルターカートリッジ４５を装着するときの様子を示す。フィルターカートリッジ４５は、図１１に示す空気口付き携帯電話４０の４０Ａ面に、マスク３のフィルター箱７は図１２に示す４０Ｂ面に、図１４中矢印のように、それぞれ挿入されるようになっている。
【００５４】
フィルターカートリッジ４５及びマスク３のフィルター箱７の装着方法は第１実施形態と同様とし説明は省略する。
【００５５】
フィルターカートリッジ４５の下部にはカートリッジ開口部４７が設けられており、そこから外気を取り入れるようになっている。フィルターカートリッジ４５は適宜交換可能とし、図１１に示すように、装着した空気口付き携帯電話４０のアンテナ４９を図中矢印のように押し込むことで板バネ３３がはずれ、フィルターカートリッジ４５をはずすことができるようになっている。
【００５６】
次に、本実施形態の作用について説明する。スペア付きマスクユニット４３を展開し、アイカバー５を装着した後にマスク３とフィルターカートリッジ４５を図１４中矢印で示すように挿入する。
【００５７】
完全に挿入し、板バネ３３によって係止されたら、装着ひも２１を広げてマスク３を展開する。このときの様子を図１５に示す。
【００５８】
図１５において、使用者の呼吸によって、フィルターカートリッジ４５のカートリッジ開口部４７より取り入れられた外気は、図中矢印で示すように、フィルターカートリッジ４５内を通り、空気口付き携帯電話４０の空気口４１Ａから、空気口付き携帯電話４０の内部空洞を介し、空気口４１Ｂへと吸引される。
【００５９】
フィルター８の開口部９Ａ、９Ｂから、密封されたマスク本体６内へと供給される空気は、空気口４１Ｂから流れてきた外気とフィルター８の開口部９Ｃから取り入れられた外気が、フィルター８で濾過されたものである。
【００６０】
携帯電話カメラ３９は、フィルターカートリッジ４５によって、空気口付き携帯電話４０の表面４０Ａ面に配設できない場合には、ヒンジ部４２やアンテナ４９等に配設してもよい。また、空気口付き携帯電話４０の側部に配設するのでもよい。
【００６１】
なお、フィルター箱７及びフィルターカートリッジ４５の大きさは、空気口付き携帯電話４０と一致しているとは限らず、必要に応じてフィルター８及びフィルターカートリッジ４５の大きさを大きくもしくは小さくしてもよいし、携帯電話カメラ３９等の邪魔にならない位置にずらして配置をしてもよい。
【００６２】
スペア付きマスクユニット４３内に、フィルターカートリッジ４５が複数個内包されている場合には、フィルターカートリッジ４５を取り替えることで、更に長時間の使用が可能となる。アンテナ４９を押し込むことでフィルターカートリッジ４５は容易にはずすことが可能であるから、新たなフィルターカートリッジ４５を挿入すればよい。
【００６３】
以上により、空気口付き携帯電話４０の両面にフィルター８を配設することで、片面のみの場合よりもより確実に、かつ長時間の使用が可能となる。加えて、カートリッジ式にして交換可能としたことで、更に使用時間を延ばすことができる。
【００６４】
次に、本発明の第３実施形態について説明する。図１６は本実施形態の側面図であり、空気口付き携帯電話４０に、フィルターセット５０が装着されている状態を示す。
【００６５】
フィルターセット５０は、フィルター８を内包したフィルターカートリッジ４５を、アイカバー５が覆うように構成されており、開封片１０を引っ張ることで、アイカバー５を展開し、アイカバー５とフィルターカートリッジ４５を分離することが可能となっている。
【００６６】
アイカバー５を展開しても、フィルターカートリッジ４５は空気口付き携帯電話４０の表面に嵌合した状態で残っている。なお、フィルターカートリッジ４５は、空気口付き携帯電話４０の片面のみに装着させれてもよく、その場合には、使用者側である４０Ａ面に装着されるようになっている。
【００６７】
４０Ａ面に装着されるフィルターカートリッジ４５は今までに述べたような平面状のマスク３を用いてもよいが、図１７に示すような立体マスク５２を使用してもよい。立体マスク５２は、例えばゴム材等でできており、携帯時には圧縮されてコンパクトな形状となっている。これを、使用時に展開することで顔の形状に密着するような立体形を形成するようになっている。
【００６８】
立体マスク５２は、図１７中矢印で示すように、フィルターカートリッジ４５に挿入できるようになっている。立体マスク５２は、図に示すようにバンド５３によって頭部に装着されてもよいし、片手で顔に押し当てる状態で使用してもよい。
【００６９】
なお、図９における通報スイッチ３７を作動させるためのスイッチ穴３５は、空気口付き携帯電話４０の４０Ａ面に装着されたフィルターカートリッジ４５の下部に配設されており、突設棒２５は、立体マスク５２の下部に配設されている。
【００７０】
次に、本発明の作用について説明する。開封片１０を引っ張ると、フィルターセット５０は開封され、アイカバー５が分離される。アイカバー５を展開して装着した後、立体マスク５２を開封し、立体マスク５２を図１７中矢印のように、空気口付き携帯電話４０に装着されているフィルターカートリッジ４５に挿入する。立体マスク５２が最後まで挿入されると、図９に示す通報スイッチ３７に通電し、自動通報される。
【００７１】
開封した立体マスク５２の形状は立体的であるため、隙間から外気が侵入することを防止できる。従って、立体マスク５２内へと供給されるのは、フィルター８を通った空気のみとなる。
【００７２】
なお、空気口付き携帯電話４０とフィルターセット５０は取り外し可能となっている。そのため、フィルターカートリッジ４５、４６は交換可能であり、一度使用してしまったり、使用中にフィルター機能が低下してしまったり、もしくは長期間使用しなかった場合にも、常に新しいものと取り替えることができる。
【００７３】
以上により、フィルターカートリッジ４５、４６が予め空気口付き携帯電話４０に装着されていることで、緊急時にあわててしまい、細かな作業を行いづらい環境であっても、すぐに、そして確実に装着できるため、迅速な通報及び避難が可能となる。また、マスク形状も立体的であるため、高い気密性が保たれる。
【００７４】
次に、本発明の第４実施形態について説明する。図１８は、マスク３と、携帯電話６０がケーブル６２によって接続されている状態を示す。マスク３は、マスク本体６に通信器等内蔵フィルター箱５５が配設されたものであり、第１実施形態と同様に、アイカバー５によってマスク３が内包され、マスクユニット形状になっているものを展開して使用する。
【００７５】
通信器等内蔵フィルター箱５５は、フィルター８の他に、マスクスピーカ５６、マスクカメラ５７、マスクマイク５８を内蔵している。
【００７６】
通信器等内蔵フィルター箱５５からはケーブル６２が伸びており、ケーブル６２の先端には、携帯電話６０の接続端子６１に接続可能な端子６３が配設されている。接続端子６１に端子６３が挿入されると、図９に示す通報スイッチ３７が通電し、自動で所定機関等への通報が行われるようになっている。
【００７７】
通報スイッチ３７は、ケーブル６２が携帯電話６０に接続されることで通電する。ケーブル６２の端子６３又は携帯電話６０の接続端子６１の周辺に機械接点を配設してもよいが、接続の際のインピーダンス等の変化をとらえてスイッチが入るようにしてもよい。
【００７８】
従って、使用者は、初めにマスクユニット形状を開封し、図示しないアイカバー５を装着する。その後、マスク３を展開して装着し、ケーブル６２の先端の端子６３を携帯電話６０の接続端子６１に挿入する。
【００７９】
マスク３に配設された通信器等内蔵フィルター箱５５に内蔵された、マスクカメラ５７、マスクマイク５８からの情報は、ケーブル６２を通して携帯電話６０に伝えられ、携帯電話６０によってダイヤルされた所定機関等へと送信される。
【００８０】
また、各機関等からの情報も、携帯電話６０からケーブル６２を通してマスク３へと送られ、マスクスピーカ５６によって出力される。通信器等内蔵フィルター箱５５の電源もまた、ケーブル６２を介して携帯電話６０より供給される。
【００８１】
なお、ケーブル６２を用いずに、無線によってマスク３と携帯電話６０の通信を行ってもよい。その場合、図１９に示すように、電源として小型のボタン型電池６５と、携帯電話と交信するための通信器６６を内蔵した、無線用通信器内蔵フィルター箱６４を用いる。図１９において、開封片１０を引っ張ると、マスクユニット１が開封されると同時に、絶縁材６７が引き出され、ボタン型電池６５が通電状態となり、通報スイッチ３７が通電される。
【００８２】
また、図２０に無線交信をしたときの一例を示す。携帯電話６０には、通信器６６と交信するための通信器６８が内蔵されている。通信器６６と通信器６８はそれぞれ固有の周波数によって交信しており、他の周波数を有するマスク３とは交信できないようになっている。
【００８３】
従って、図２０に示すように、複数のマスク３をセットとし、同一周波数の通信器６６を配設することで、各マスク３使用者の間での無線通話が可能となる。
【００８４】
更に、携帯電話６０を介することで電話回線を使用することもできるため、各マスク３使用者から、センターへの通報及び交信が行える。
【００８５】
例えば、家族等で同一周波数のマスク３を備えていれば、携帯電話等を持っていない子供でも親との交信や、所定機関等への通報を行うことができる。
【００８６】
なお、通信器６８は、常に待機状態として電源の入った状態であってもよいが、携帯電話６０に受信器スイッチボタン６９を配設し、押したときのみ作動するようにしてもよい。
【００８７】
以上により、携帯電話６０は、ポケットや鞄等に入れたままでも使用でき、使用者の使用感を向上させることが可能となる。更に、ケーブル６２を使用せずに無線交信とすれば、携帯電話の回線を使用した通報のみでなく、無線によって携帯電話等を使用しなくとも、マスク３のみで会話を行うことも可能である。
【００８８】
次に、本発明の第５実施形態について説明する。図２１は、本実施形態の側面図である。使用するマスクは折り畳み可能な携帯用簡易型に限ったものではなく、図２１に示すように、長時間高濃度でも使用可能な従来型の防毒マスク７０を用いてもよい。
【００８９】
防毒マスク７０の側部には、携帯電話設置部７２が配設されており、そこに通報機能付き携帯電話７５が挿入されるようになっている。携帯電話設置部７２の底部には突設棒２５が配設されており、通報機能付き携帯電話７５の先端にはスイッチ穴３５が設けられている。
【００９０】
従って、通報機能付き携帯電話７５を、携帯電話設置部７２に挿入すると、携帯電話設置部７２の突設棒２５が、通報機能付き携帯電話７５のスイッチ穴３５に嵌入し、図９に示す通報スイッチ３７が通電状態となる。
【００９１】
以上により、例えば救助に向かう人や、危険な現場であり、防毒マスク７０を常備しているような職場等においても、一連の通報システムを効果的に使用することが可能となる。
【００９２】
次に、本発明の第６実施形態について説明する。図２２は本実施形態のシステムブロック図であり、同一災害現場にいる被災者間通話を、センターを介して行える状態を表わしている。
【００９３】
第６実施形態において、センターへと通報した被災者の回線は、センターの送受信回路１１０へとつながれるようになっている。送受信回路１１０からは、受話及び送話回線へとつながれ、オペレータを介しての、一対一の通話が行われる。更に、マスクカメラ５７等により撮影された画像情報も送受信回路１１０を介して画像処理回路１１８へと送信されるようになっている。
【００９４】
更に、使用者の位置情報も通報スイッチ３７と連動して発信され、ＧＰＳや、電波基地を用いた位置測定等によりセンターで把握できるようになっている。  このとき、例えば火災検知装置（特開２００２−１００４８４）等と連動させることも可能である。この火災検知装置では、火災等災害発生時にそれを検知し、所定のセンターに自動連絡が可能である。
【００９５】
その通報より、センターに登録がしてあれば、住所や現場の状況、家族構成、病歴等細かな情報を取得することができる。また、センターに各種情報の登録がされていなくても、ナンバーディスプレイ機能で取得された電話番号をもとに住所や位置検索、電話機の登録者情報等を検索することも可能である。
【００９６】
各種位置情報や画像情報は、画像処理されてオペレータの画面へと表示され、現場状況の把握や、避難回路のガイド等に利用できるようになっている。
【００９７】
また、このような通話、画像記録は、データとして記憶されており、センターにおいて通報が真実であると確認されたときに、消防署をはじめとした各種機関へと通報及びデータの転送が行われるようになっている。
【００９８】
センターに複数の通報が届いた場合、同一災害判定回路１１２が設置されており、各通報の位置情報から、同時期の通報が同一災害に属するか否かを判定できるようになっている。即ち、各通報元の位置が所定の限られたエリア内に存在し、かつ同時期に発生している場合に同一災害と判定される。
【００９９】
同一災害であると判定された場合、センターにおいてオペレータは、スイッチ１１４を切り替えることで、個別であった各受話回線をミキシング回路１１６へとつなげることができるようになっている。また、スイッチ１１５を切り替えることで各送話回線をミキシング回路１１７へとつなげることができるようになっている。
【０１００】
ミキシング回路１１６、１１７は、各使用者の通話信号を混合させ、複数人の同時通話を行えるようにしている。
【０１０１】
次に、本実施形態の作用について説明する。図２３は、通報時のセンターでの各処理ステップのフローチャートである。
【０１０２】
通報があると、回線はオペレータへとつながり、音声はそのまま届けられる。位置情報は画像処理されて表示されるが、そのときの処理ステップは以下の通りである。
【０１０３】
図２３のステップ１（以下Ｓ１と略す。以下同様）において、受信した位置信号に基づきステップ３で緯度及び経度等の位置情報の検出が行われる。これより更にステップ５で住所等の判定を行ってもよいし、そのままステップ７で画像のデータベース検索を行ってもよい。
【０１０４】
ステップ７でその住所等を含む適当な画像が検索され、その結果、ステップ９で画像がデータベースより抽出される。なお、センターには現場よりマスクカメラ５７や携帯電話カメラ３９からも、画像が撮影されて送られてきている。そして、ステップ１１で受信した画像情報をもとにステップ１３で画像作成が行われ、ステップ９で抽出された画像とともに、ステップ１５において合成され、ステップ１７で画面表示される。
【０１０５】
更に、同一災害に遭っている、他の使用者からの画像も同様に送信されてきているが、それらを同時表示することで、より現場の状況を把握し易くすることもできる。
【０１０６】
図２４、図２５は、センターでの表示画面の例である。図２４は災害現場の周辺地図であり、通報現場付近の詳細な地図とともに、住所表示や、被災者のカメラから送られてきた現場映像等を同一画面にウィンドウ表示をすることもできる。
【０１０７】
図２５は建物内で火災が発生した場合の表示例である。データベースより建物内のフロア図等を表示させ、ビル等複数階の建物においては階数情報とともに、階段や出口といった避難経路を案内することができる。
【０１０８】
なお、火災検知装置からの通報があった場合には、図２５の火点を示す図のように、詳細な火災発生位置を特定し、表示することも可能である。
【０１０９】
更に、同一災害現場より複数通報があった場合には、各画像情報をウィンドウ表示し、画面上で切り替えながら、適切な避難経路等を案内することができる。
【０１１０】
図２４、図２５のどちらの例の場合にも、ＧＰＳや電波基地情報を合わせることで、詳細な情報収集及び照合が可能である。
【０１１１】
以上により、センターにおいて適切な避難経路等を指示可能とするとともに、現場での被災者間会話等を可能とすることで、迅速な救助活動や避難、情報の確保が行える。
【０１１２】
次に、本発明の第７実施形態について説明する。図２６は、本実施形態のシステムブロック図であり、携帯電話２００とセンターとの通話及び通信の流れを示す。
【０１１３】
携帯電話２００において、操作部２０１は、入力インターフェイス２０２を介して、制御演算回路２０３へと接続されている。制御演算回路２０３には、送受信回路２１８、記憶部２０５、表示回路２１４、画像処理回路２０７、送受話回路２１２、インターフェイス２１６が接続されている。
【０１１４】
制御演算回路２０３は、電話機能、通信機能、時計機能、カレンダー機能、アドレス帳機能及びカメラ機能等の処理を行うようになっている。
【０１１５】
記憶部２０５は、ＲＡＭやＲＯＭから構成され、各種履歴、アドレス帳、画像の他、システムの基本データ等も保存されるようになっている。表示回路２１４は、液晶画面等のユーザーインターフェイスである。画像処理回路２０７は、携帯電話カメラ３９に接続し、画像の撮影及びデータ処理を行うようになっており、送受話回路２１２は、マイク２０９、スピーカ２１０と接続し、通話及び各種メロディ等の入出力が行われるようになっている。
【０１１６】
音声及びデータは、送受信回路２１８によって送信され、無線局を介して、センター側の送受信回路２３０と通信し、オペレータとの通話や、画像等の送信が行えるようになっている。
【０１１７】
携帯電話２００には、アダプタ２２１が取り付け可能となっている。アダプタ２２１に配設された外付け端子２２０は、携帯電話２００に設けられた接続端子２２３と接続自在なようになっている。インターフェイス２１６は、この接続端子２２３と接続され、外部との信号の授受等を行うようになっている。
【０１１８】
アダプタ２２１を使用することによって、無線用通信器内蔵フィルター箱６４を装着した、マスク３の使用者は、携帯電話２００と無線交信を行えるようになっている。
【０１１９】
アダプタ２２１が携帯電話２００に接続されたことを検知するには、これまでに説明したような機械接点を、接続端子２２３又は外付け端子２２０に設けるようにしてもよいし、無電圧検知回路や、インピーダンス等の変化を検知する回路によってもよい。この検知により、通報スイッチ３７が通電し、自動で通報が行われたり、通話が可能となる。機械接点を外付け端子２２０に設けたり、無電圧検知回路等を設けることとすれば、携帯電話２００側に構造的な改造を行わずにすむ。但し、自動での通報等を行わず、手動によるボタン操作で通報等が可能とされてもよい。
【０１２０】
アダプタ２２１には、外付け端子２２０と接続した、アダプタ送受信回路２２２が内蔵されている。アダプタ送受信回路２２２は、外付け端子２２０が携帯電話２００の接続端子２２３に接続されることにより機能し、無線用通信器内蔵フィルター箱６４の、マスク送受信回路２２５と無線交信可能となる。この間の交信は、例えば、ＡＭ、ＦＭなどの、特定周波数の電波を用いることで、同一周波数同士での交信が行えるようになっている。特定周波数を異ならせれば、異なる周波数同士の間では交信されない。
【０１２１】
次に、センターにおける処理について説明する。センターでは、携帯電話２００の送受信回路２１８から送受信された情報を、送受信回路２３０で送受信し、オペレータと使用者の、送話及び受話が行えるようになっている。
【０１２２】
同時に、送受信回路２３０で受信した、画像情報、位置情報は、画像処理回路２３２へと送られ、データベースを参照し、住所等必要情報と合成して表示されるようになっている。なお、第６実施形態で説明した火災検知装置の火点情報を取得し、画像処理を行ってもよい。
【０１２３】
画像情報は、使用者の携帯電話カメラ３９もしくはマスクカメラ５７から送信される。通報スイッチ３７の通電と連動して携帯電話カメラ３９からマスクカメラ５７へと送信元が切り替わるようになっている。また、位置情報は、ＧＰＳや無線基地局等の情報から解析可能となっている。但し、位置情報は別途提供されるサービスにより取得するようにしてもよい。
【０１２４】
このときの、通話内容、画像情報、位置情報は通話・画像等記憶部２３４に記憶されるようになっている。記憶された各情報は、編集及び表示可能であり、また、センターにおいて通報が真実であると確認されたとき、転送ボタン２３６を押すことで、各機関へ記憶された各情報を転送することができるようになっている。
【０１２５】
但し、転送ボタン２３６は、常に接続された状態でもよく、センターでの処理を介さずに、通報と同時に転送するようにしてもよい。
【０１２６】
以上のように、外付けのアダプタ２２１を用いたことで、従来の携帯電話２００に対しても、大幅な改造を加えることなく、一部のソフトウェア的な機能の追加等で本発明の利用が可能である。
【０１２７】
また、無線用通信器内蔵フィルター箱６４は、特定周波数で通信可能となっているので、一台の携帯電話２００を同一周波数の通信器６６を持つ複数人が使用することが可能となる。更に、携帯電話２００を介さずに、各使用者間での無線通話も行うことができる。
【０１２８】
従って、同周波数の通信器６６を内蔵した無線用通信器内蔵フィルター箱６４を家族等で所持することにより、例えば、携帯電話を所持していない子供であっても、保護者の携帯電話２００を介して、センターへの通報を行うことでき、また、無線機能によって、家族と通話を行うこともできるため、家族単位等での救出及び迅速な保護を行える。
【０１２９】
更に、予めセンターにデータベースとして家族構成や各人の健康状態等を登録しておけば、通報のあった携帯電話２００の電話番号から情報を検索し、より、確実かつ安全な救助活動を行うことができる。
【０１３０】
なお、アダプタ送受信回路２２２は、携帯電話に内蔵させることも可能である。
【０１３１】
次に、本発明の第８実施形態について説明する。図２７は、本実施形態の全体構成図である。耳掛けアダプタ３１０には、アダプタスピーカ３２０、アダプタマイク３２２、アダプタカメラ３２４が配設されており、また、耳掛けアダプタ電池３１４及び無線器３１２が内蔵されている。携帯電話３００には、無線器３１５が内蔵されており、耳掛けアダプタ３１０と無線通信が行えるようになっている。
【０１３２】
耳掛けアダプタ３１０には耳掛け３１８が配設されており、耳に装着して使用できるようになっている。アダプタスピーカ３２０、アダプタマイク３２２によって、携帯電話３００を介した通話が可能である。
【０１３３】
また、ＩＣやカード、ミニディスク等の記録媒体やインターネットのダウンロードを利用可能なようになっている。そして、ポータブルプレイヤーのように、携帯電話３００に保存されている音楽等を受信したり、音楽等を携帯電話３００を介してリアルタイムに受信しつつ楽しむことも可能となっている。
【０１３４】
また、耳掛けアダプタ３１０は、マスクユニット１とともに使用できるようになっている。図２８は、マスク３に耳掛けアダプタ３１０を装着したときの側面図である。
【０１３５】
マスク３には、アダプタ装着用フィルター箱３３０が取り付けられている。図２９に、アダプタ装着用フィルター箱３３０の全体構成図を示す。図２９（ａ）は、正面図であり、図２９（ｂ）は、図２９（ａ）中のＢ−Ｂ矢視線断面図である。
【０１３６】
アダプタ装着用フィルター箱３３０には、凹部３１９が形成され、この凹部３１９の内壁面には、伝導性材の板バネ３２６と、弾性材の係止爪３２７が配設されている。
【０１３７】
耳掛けアダプタ３１０の後方端部の、表面側部２カ所、裏面側部２カ所には、爪用穴３１７が形成されている。アダプタ装着用フィルター箱に形成された係止爪３２７の先端は鍵状に曲げられており、その先端部が爪用穴３１７に嵌合されるようになっている。
【０１３８】
耳掛けアダプタ３１０の後方側面には上下に２つの電極部３２８が配設されている。耳掛けアダプタ３１０をアダプタ装着用フィルター箱３３０の凹部に装着すると、板バネ３２６が一度に上下２つの電極部３２８へと接触するようになっているため、電極部３２８は通電状態となる。このときの状態を図３０に示す。
【０１３９】
耳掛けアダプタ３１０を耳からはずし、マスク３に装着して使用する場合には、電極部３２８への通電がスイッチとなり、耳掛け時に使用するアダプタスピーカ３２０から、上面スピーカ３３２へと切り替わるようになっている。
【０１４０】
耳掛けアダプタ３１０をマスク３に装着した場合には緊急時の場合である。従って、電極部３２８の通電を感知して、装着行為がスイッチとなり、センターや所定機関等へと自動通報されるようになっている。
【０１４１】
なお、マスク３に装着しなくても緊急時の通報が行えるように、耳掛けアダプタ３１０には緊急通報スイッチ３５２が配設されている。緊急通報スイッチ３５２は、誤動作防止のために、カバー等で保護されてもよいし、携帯電話３００に同様のボタンを配設して、２つを同時に操作することでスイッチが入るようにしてもよい。又は、携帯電話３００にのみ配設する等されてもよい。
【０１４２】
また、耳掛けアダプタ３１０には耳掛けアダプタ通話ボタン３４１が配設され、通話に切り替えられるようになっている。更に、操作スイッチ３４３により早送り、巻き戻し、再生、停止、カメラ操作等の操作が可能なようになっている。掛かってきた相手先の電話番号や選択されたモード等は液晶画面３４０に表示されるようになっている。
【０１４３】
次に、本実施形態の作用について説明する。耳掛けアダプタ３１０をアダプタ装着用フィルター箱３３０の凹部３１９に押し込むと、係止爪３２７は外側へと変形する。耳掛けアダプタ３１０が凹部３１９に最後まで挿入されると、係止爪３２７は復元して耳掛けアダプタ３１０に開口した爪用穴３１７へと嵌入し、固定する。
【０１４４】
図３１は、耳掛けアダプタ３１０の通信機能のブロック図である。通信通話回路３３７には、アダプタスピーカ３２０、アダプタマイク３２２、アダプタカメラ３２４の各回路がつながれており、各回路からの入力、出力情報は、通信通話回路３３７と無線器３１２によって携帯電話３００と交信される。
【０１４５】
携帯電話３００に配設された、図示しないスピーカ、マイク、カメラ等と、耳掛けアダプタ３１０のアダプタスピーカ３２０、アダプタマイク３２２、アダプタカメラ３２４は適宜切り替える、もしくは同時に使用することも可能である。従って、携帯電話３００のカメラ機能と、耳掛けアダプタ３１０の通話機能によって、テレビ電話として使用することもできる。
【０１４６】
また、アダプタカメラ３２４を使用すれば、使用者の目線での撮影が可能であり、使用者の好みと用途に合わせた使用が可能である。更に、火災時に使用された場合には、使用者の目線における火災の状況をセンター側で把握できる。なお、アダプタマイク３２２は口元に近づけ感度を上げるため引き出し自在とされたり、図示しないマイク保持部材を別途配してその先端部に配設するようにしてもよい。
【０１４７】
また、アダプタマイク３２２を耳孔に挿入することで、耳の骨伝導される声を拾うようにしてもよい。このとき、アダプタスピーカ３２０は、アダプタマイク３２２の外側周囲に位置するように配設されるのが望ましい。
【０１４８】
耳掛けアダプタ３１０には、アダプタスピーカ３２０、アダプタマイク３２２、アダプタカメラ３２４のすべてを必ずしも備える必要はなく、例えばアダプタスピーカ３２０のみを備える等されてもよい。この場合には、耳掛けアダプタ３１０では、音や音声を聞くことのみに特化される。このとき、送話は携帯電話３００側のマイクに向かって話し、携帯電話３００側のカメラで撮像を行い、通話の相手方に送る。相手方の声はアダプタスピーカ３２０で聞くことができる。
【０１４９】
なお、耳掛けアダプタ３１０で音楽を聞いている最中に電話の掛かってきた場合には、電話の掛かってきたことを割り込みの音声により知らせる。このとき、ユーザーは耳掛けアダプタ３１０に配設された耳掛けアダプタ通話ボタン３４１を押すことで通話可能である。通話の終了に伴い、再び音楽に切り替わる。相手の電話番号は液晶画面３４０に表示される。
【０１５０】
耳掛けアダプタ３１０に配設された、緊急通報スイッチ３５２を押すと、緊急送信回路３４５が動作し、通信通話回路３３７、無線器３１２を介して携帯電話３００と接続される。そして、所定の緊急連絡先へと自動接続が行われる。所定の緊急連絡先の登録及び呼び出し機能は携帯電話３００側に設けられてもよいし、耳掛けアダプタ３１０側に設けられてもよい。
【０１５１】
緊急通報スイッチ３５２と並列に、電極部３２８により構成されるリミットスイッチ回路３４９が配設される。そして、このリミットスイッチ回路３４９は、上下の電極部３２８が通電することによりスイッチが入るようになっている。
【０１５２】
従って、緊急通報スイッチ３５２が操作されなくても、耳掛けアダプタ３１０をマスク３に装着することでリミットスイッチ回路３４９が動作して、自動で通報が行われる。また、この際には、このリミットスイッチ回路３４９により音量の小さなアダプタスピーカ３２０から音量の大きな上面スピーカ３３２へと切り替えられる。
【０１５３】
以上により、耳掛けアダプタ３１０をマスク３に装着するだけで自動通報が行われ、緊急時の時間の節約になる。電話機を手に持つ必要もないので、同時平行して通話しつつ他の作業を行うことができる。また、緊急通報スイッチ３５２を押すことで、耳掛けアダプタ３１０をマスク３と独立させた状態でも使用可能である。この場合であっても電話機を手に持つ必要はない。
【０１５４】
以上のような通報システムは、火災等災害に限ったものではなく、使用者の健康状態の変化や、事故、犯罪の遭遇時に利用されてもよい。
【０１５５】
なお、図３２に示すように、耳掛けアダプタ３１０に外部端子３５４を配設し、携帯電話３００の接続端子３５６にて接続自在とされてもよい。この際には、耳掛けアダプタ３１０をマスク３に装着したときのリミットスイッチ回路３４９の動作と、耳掛けアダプタ３１０が携帯電話３００の接続端子３５６からはずされたときの無電圧状態の検知（もしくは端子回りに配設されたリミットスイッチの動作）の双方が働くことで自動通報を行う。耳掛けアダプタ３１０のバッテリーは充電式として、外部端子３５４を介して携帯電話３００側より給電されるのが望ましい。
【０１５６】
次に、本発明の第９実施形態について説明する。本発明の第９実施形態であるアダプタの構成図を図３３〜図３６に示す。ここに、図３３はアダプタの上面図、図３４は右側面図、図３５は正面図、図３６は左側面図を示す。本発明の第９実施形態は、学童の学校への行き帰りの際に装着され易く、かつ外部の音を遮断しないことでより一層の安全を確保したものである。
なお、図２７〜図３２と同一要素のものについては同一符号を付して説明は省略する。また、各実施形態で説明した機能については説明を省略するが、本実施形態でも同様に適用可能である。
【０１５７】
図３３〜図３６において、耳掛けアダプタ４１０は耳に装着可能なようになっている。耳掛けアダプタ４１０は有線若しくは無線を介して携帯電話３００と電気的につながっている。但し、耳掛けアダプタ４１０自体で携帯電話の機能を有するようにされてもよい。また、この耳掛けアダプタ４１０を耳の左右用に一対配設し、この一対で携帯電話の機能も内蔵するようにされてもよい。
この耳掛けアダプタ４１０のケース３２７の耳の外耳道に位置する周囲には開口４１３が設けられており、装着時においても外部の音がこの開口４１３を通じて聞こえるようになっている。耳掛けアダプタ４１０のケース３２７の前方は角状に突設されており、一方後方は半円状に形成されている。しかしながら、この形状は丸形若しくは角形等自由である。
【０１５８】
また、開口４１３も形状は自由であり、耳の外耳道付近が塞がれなければよく、後方の半円状の部分の一部若しくは全体を省略した形で構成することも可能である。開口は複数個配設するようにされてもよい。耳掛けアダプタ４１０のケース３２７の耳と接する面には耳当てクッション４１１が取り付けられ、装着時に耳が痛くならないようになっている。耳掛け３１８の一端は、保持部材４１５により保持されている。そして、この保持部材４１５は、後に詳述するように嵌合固定部材４１７との間で着脱自在に止められている。更に、緊急通報スイッチ３５２が耳掛けアダプタ４１０のケース３２７の底面に配設されている。但し、緊急通報スイッチ３５２は紐等により引かれるようにされてもよい。
【０１５９】
アダプタカメラ３２４は耳に装着時に人の目線である前方を撮像可能なようになっている。そして、このアダプタカメラ３２４は図３３中に点線で示すように人の目線方向である前方を中心として左方向及び右方向にそれぞれ所定角度までの範囲内を回動かつ停止可能なようになっている。所定角度は例えば９０度から１８０度位が望ましい。アダプタカメラ３２４で撮像された画像は図３７の携帯電話３００の画面３６１に表示されるので、この画面３６１を見ながら自分で最も適当なアダプタカメラ３２４の位置及び角度調整が可能なようになっている。なお、アダプタカメラ３２４は、３６０度立体方向に回動自在とされてもよい。また、アダプタカメラ３２４には広角レンズが用いられても良い。
【０１６０】
更に、アダプタカメラ３２４は、耳掛けアダプタ４１０の前方では無く、ケース３２７の外面を外方（耳から遠くなる方向）に向けて膨出させ、その中に前方を向くように露出又は埋設する等されてもよい。更に、耳掛けアダプタ４１０を耳の左右用に一対配設した場合には、アダプタカメラ３２４をそれぞれのアダプタ４１０に備えるのが望ましい。この場合には、人の頭による撮像の死角が無くなる。また、このようにアダプタカメラ３２４を一対備えた場合には、光の位相差を利用して画像処理することで、立体画像としての映像も可能となる。
【０１６１】
開口４１３の周囲（例えば後方）にはスピーカ４２０が配設され、また耳掛けアダプタ４１０の前方にアダプタマイク３２２が配設されており、このスピーカ４２０とアダプタマイク３２２を用いて他の子供や保護者、又はセンターとの間で通話が可能なようになっている。携帯電話３００側の携帯電話カメラ３６３で自分を撮像すれば、テレビ電話として機能するようになっている。このとき、携帯電話カメラ３６３は、自分を撮像可能なように配設されているのが望ましい。また、画面３６１には通話の相手側の携帯電話カメラで撮影された相手の姿が映し出されるのが望ましい。
【０１６２】
更に、この画面３６１には通話の相手側のアダプタカメラ３２４で撮影された景色が映し出されるようにされるのが望ましい。そして、このテレビ電話モード、景色表示モードを相手側及び／又は本人側で切り換えできるのが望ましい。更に、ＧＰＳ機能等により、自動で現場の位置検出を素早く確実に行うこともできる。更に、検出した位置情報を住所表示に変換可能なようになっている。
【０１６３】
次に、本発明の第９実施形態の動作を説明する。
ケース３２７の耳の外耳道に位置する周囲には開口４１３を設けたため、装着時においても車の音、人の声等外部の音がこの開口４１３を通じて聞こえる。従って、安全である。
耳掛け３１８を耳に装着した状態では、アダプタカメラ３２４は人の前方を向く。この前方に向けた位置でよいかどうか、アダプタカメラ３２４で撮像された画像を携帯電話３００の画面３６１で確認しつつ、最も撮像効果が得られるように耳掛け３１８の位置やアダプタカメラ３２４の位置を調整する。
【０１６４】
図３７の画面３６１の例に示すように、通話したい相手を事前に予め登録する。通話の相手を複数選択可能とした場合には、図２２に示すようなこの選択された複数者との間で通話のミキシングが行われる。このミキシング選択は電話会社側にて機能を設け処理されるのが望ましい。このミキシング選択の登録及び登録者の中から選択した人の情報は事前に電話会社側に送られ、ミキシングが準備される。例えば、図３７の画面３６１の例の場合には、Ａさん、Ｂさん、Ｃさんの電話番号が電話会社に対し予め届けられ登録されている。そして、ユーザはこの中から同時会話したい人であるＡさん、Ｃさんを選択する。
【０１６５】
通話に際しては選択されたミキシング信号（Ａさん、Ｃさんの選択信号）を基に、電話会社側でこのユーザとＡさん、Ｃさんの携帯電話間がミキシング通話可能となるようにミキシング回路に回線を切り替える。このことにより、複数者間の同時会話が可能である。なお、このミキシングにおいて、ハウリングの問題を生ずる場合には、送話中の携帯電話に対しては受話をしないように自動処理されてもよい。送話中であるか否かは、音声の振幅の大きさや音声信号が発せられているか否かで判断する。
【０１６６】
または、図２６のように無線通信機同士の間で同時会話されてもよい。
しかしながら、ミキシングによらず通話の相手は一人だけ選択可能とされてもよい。このように一人だけを選択とした場合には、選択した相手との１対１の通話となる。
【０１６７】
携帯電話３００の安全システム作動ボタン３６５を押すと、同時会話モードが開始され、センター側と携帯電話３００とにおいて、アダプタカメラ３２４で撮像された画像及びアダプタマイク３２２で抽出した音声とが保存される。但し、１対１通話の場合には、電話会社側に事前登録した電話番号であり、かつ安全システム作動ボタン３６５の押されたときにはこの電話番号の画像信号及び音声信号を電話会社側で保存する。あるいは、この信号を所定のセンターに向けて送信してもよい。センター側ではこの信号を受けて保存する。または、１対１通話の場合には、通話の相手側の携帯電話機において画像情報及び音声情報を保存するようにしてもよい。
【０１６８】
このとき、まず、自らの携帯電話において相手先を登録しておき、これらの登録者の中から一人を選択する。但し、事前に相手先の登録や選択を完了させておくことでこの作業は省略されてもよい。その後、安全システム作動ボタン３６５を押すことで相手との電話が可能となる。同時にアダプタカメラ３２４で撮像された画像及びアダプタマイク３２２で抽出した音声は互いの相手側に送られ、その相手側の携帯電話に備えられたメモリやハードディスク等の記憶部に保存される。この保存は、例えば数時間から数日分が随時新しいデータに自動更新される等であればよい。この相手は友人、家族、センター等である。但し、相手側の携帯電話の保存に代えて、電話会社側でこの保存の代行がされてもよい。
【０１６９】
また、緊急スイッチ等の操作や通報のあった場合には、この操作信号に基づきデータの新たな更新がされないようにすると共に、更に保存時間を自動延長若しくは無制限とするのが望ましい。操作信号による処理は、相手側からの信号と自分で発した信号の双方での適用が望ましい。延長時間分のメモリー容量が無い場合、あるいは緊急スイッチ等の操作と同時にセンター側に送信を切り換え、センター側で保存を継続するようにされてもよい。緊急スイッチ等の操作前数時間〜操作後数時間がメモリーに保存されるようにしてもよい。また、常にセンター側でも保存をするようにしてもよい。このときのセンター側の保存時間は携帯電話側の保存時間より長いことが望ましい。また、動画は連続したものが望ましいが、メモリー容量を抑えるためには、圧縮されたり、サンプリング的に時間間隔をおいて静止画像を撮像する等とされてもよい。
【０１７０】
例えば、学童が下校する際には途中まで数人で一緒に帰宅するように学校側で指導されている。その後、自宅までの間に一人ずつに分かれる訳であるが、分かれる際に耳に耳掛けアダプタ４１０を装着した後、安全システム作動ボタン３６５を押す。一人になった後に不審者により声をかけられた場合には、この音声はアダプタマイク３２２で抽出されセンター等に送信される。また、この不審者の画像はアダプタカメラ３２４で撮像されセンター等に送信される。学童に万一の事件が起こった場合には、この音声を声紋分析可能であり、また画像により不審者の姿の特定が可能である。
【０１７１】
一方、同時会話若しくは１対１通話されているので、被害に遭った学童の声は会話中の他の学童に聞こえる。このとき、この声を聞いた学童は近所の大人に知らせに走ることが可能である。あるいは、緊急通報スイッチ３５２を操作してセンターに知らせることができる。もちろん、緊急通報スイッチ３５２は被害に遭った学童自身が操作することも可能である。
【０１７２】
このとき、センター側より「どうしました」というように問い合わせが行われる。これに対する答えがあった場合で学童の安全が確認された場合には、一応安全であると判断することができる。しかしながら、万一のこともあるので、センター側より保護者に対しこの事実を電話で報告することが望ましい。また、この場合であっても万一の場合を考慮すると画像データ、音声データの保存のされることが望ましい。テレビ電話による確認のされることが望ましい。
一方、学童からの返事が無い場合には、事件に遭遇した可能性が高いので、警察や警備会社、学童の通学路付近の住民、学校等に連絡が取られる。この際には、センター側での映像分析、音声分析等が行われる。
【０１７３】
学童が下校途中に一人になった場合の自宅までのわずかの距離及び時間の死角をつかれて事件に遭遇することが多いが、このことにより、早期の捜査及び解決等が可能である。また、耳掛けアダプタ４１０を装着していることが認識されれば不審者自身が学童に対し近づけなくなるので、犯罪を未然に防止することができる。耳掛けアダプタ４１０を装着する時間も自宅までの距離であればわずかであるので学童の負担も少ないと思われる。全員がそれぞれの家に到着したことを確認できたときには、安全システム作動ボタン３６５を解除する。
なお、アダプタカメラ３２４は高感度カメラや赤外線カメラ等とし、夜にも撮像可能とすれば、夜道を帰宅する女性等が犯罪に巻き込まれるのを未然に防止できる。なお、この場合に、アダプタ４１０にフラッシュやライトを備えるようにされてもよい。また、本システムは学童についての用途を主に説明したが、学童に限らず、お年寄りや出勤、帰宅途中の会社員等、安全の求められるすべての場合に有効である。
【０１７４】
次に、本発明の実施形態の別例を図３８に示す。図３８では、耳掛けアダプタ４１０の開口４１３を覆えるようにすることで、第８実施形態の図２７から図３２に述べたような耳掛けアダプタ３１０のように使用可能とするものである。
図３８において、耳掛けアダプタ５１０の外側には、円柱状の凹部４２１が形成されている。そして、この凹部４２１には円板状部材４２３が収納自在になっている。円板状部材４２３はヒンジ４２５の一端に固定されている。このヒンジ４２５の他端は、耳掛けアダプタ５１０のケース４２７に対し固定されている。
【０１７５】
円板状部材４２３は丁度開口４１３の中に隙間無く納まるようになっている。
円板状部材４２３の図３８における表面には、アダプタスピーカ４２９が配設され、この円板状部材４２３を引き出すためのツマミ４３１が配設されている。アダプタスピーカ４２９の図示しないコードはヒンジ４２５の内部を通りケース４２７内の回路に接続されている。円板状部材４２３の外周縁には遮音性のあるクッションの配設されるのが望ましい。開口４１３の内側にはリミットスイッチ４３３が備えられている。なお、円板状部材４２３は、耳掛けアダプタ５１０の内側に配設されてもよい。この場合には、アダプタスピーカ４２９は、凹部４２１に面する側に設けられることが望ましい。
【０１７６】
かかる構成において、通常は開口４１３により障害なく外部の音が直接耳に聞こえる。一方、音楽や英会話等の教材を聞きたい場合には、ツマミ４３１を引き上げ、凹部４２１から円板状部材４２３を引き出す。ヒンジ４２５を介して折り返すことで、円板状部材４２３は開口４１３に収納される。このとき、円板状部材４２３は開口４１３に対する蓋状態となり、円板状部材４２３の外周縁にクッションが配設されていれば一層音が外部に漏れ難い。円板状部材４２３が開口４１３に収納される際には、円板状部材４２３がリミットスイッチ４３３に当接する。このとき、リミットスイッチ４３３が作動し内部回路はスピーカ４２０の接続からアダプタスピーカ４２９の接続へと切り替えられる。但し、スピーカ４２０の配設位置を内側に向けた場合には、アダプタスピーカ４２９を省略することもできる。
【０１７７】
また、これとは逆に円板状部材４２３が開口４１３より凹部４２１に戻される場合には、リミットスイッチ４３３がオフし、内部回路は再びアダプタスピーカ４２９の接続からスピーカ４２０へと切り替えられる。
【０１７８】
このことにより、帰宅途中等においては外部からの音を聞くことができるため安全である。一方、帰宅後において、あるいは電車の中等において音楽等を楽しみたい、あるいは通話をしたい場合には、円板状部材４２３を開口４１３に収納するだけで、外部に音漏れさせずに音楽等を聞いたり、通話をすることができる。
【０１７９】
また、旅行時等に用いられた場合には、相手に対しほぼ自らの目の高さであるアダプタカメラ３２４で撮影した画像を送信できるため、相手側に景色等の雰囲気を伝え易い。手放しでアダプタマイク３２２を通じて会話もできるので楽である。更に、ショッピングに用いられた場合には、相手に対し商品を手に取り撮影しつつ説明をすることができるので、相手側が購入希望者の場合に商品購入の依頼がされ易い。
【０１８０】
なお、図３８では、円板状部材４２３を開口４１３に収納するとして説明したが、図３９のように、板状部材４３２をスライドさせることで開口４１３を覆うようにしてもよい。図３９において、板状部材４３２の上下にはスライドのための図示しないレールが配設されている。通常時には開口４１３を開放状態におく。一方、開口４１３を覆いたい場合には、爪孔４３４に爪を掛けて板状部材４３２をスライドさせ、開口４１３を覆う。このときスピーカ４２０は省略し、アダプタスピーカ４２９一つだけを備えるとすることもできる。通常時には、このアダプタスピーカ４２９から漏れる音を拾うことができるからである。
【０１８１】
次に、このアダプタを胸ポケット、衣服、又は鞄に装着可能とする例について説明する。
図３５においては、耳掛けアダプタ４１０のケース３２７に配設された嵌合固定部材４１７に対し保持部材４１５は着脱自在に止められている。この保持部材４１５を外したときの耳掛けアダプタ４１０の外観図及びこの外観図中の点線枠で囲った範囲の拡大図を図４０に示す。但し、この拡大図中には理解を容易にするため保持部材４１５との嵌合時の様子（水平断面図）を示している。また、図４１には嵌合固定部材４１７に対し保持部材４１５が嵌合されているときの縦断面図を示す。なお、図４１は、保持部材４１５には胸ポケット装着用クリップ４５１が取付られた例を示している。
【０１８２】
図４０及び図４１において、嵌合固定部材４１７は、その縦断面図に示すように、嵌合固定部材４１７の下端中央には基部４１７ａより支柱４１７ｂが立設されている。この支柱４１７ｂは、左右が凹部４５３Ａ、４５３Ｂに挟まれ、かつ支柱４１７ｂの下端部には角柱部４１７ｃが配設されている。この角柱部４１７ｃに設けられた空洞４５５には、バネ４５７が収納され、このバネ４５７の左右端にはそれぞれフック４５９Ａ、４５９Ｂが取り付けられている。そして、このフック４５９Ａ、４５９Ｂは角柱部４１７ｃに設けられた図示しない穴より所定高さ分外方に向けて突設するようになっている。また、このフック４５９Ａ、４５９Ｂは図４０に示すように、図中下方かつ内側に向けた傾斜面４５９ａ、４５９ｂを有している。
【０１８３】
一方、保持部材４１５には、図４１に示すように、上端中央に長孔４６１が形成され、かつこの長孔４６１と連設して空洞４６３が配設されている。長孔４６１には、支柱４１７ｂが通るようになっており、また、空洞４６３には角柱部４１７ｃが通るようになっている。
【０１８４】
かかる構成において、保持部材４１５の空洞４６３に対し嵌合固定部材４１７の角柱部４１７ｃを通す。このとき、フック４５９Ａ、４５９Ｂは空洞４５５内に押し込まれる。図４０に示すように、完全に保持部材４１５を嵌合固定部材４１７に対し通し終わると、フック４５９Ａ、４５９Ｂはバネ４５７の作用により外方に向けて突設する。このことにより、保持部材４１５は嵌合固定部材４１７から抜けなくなる。
【０１８５】
一方、逆に、保持部材４１５を嵌合固定部材４１７から引き抜く場合には、フック４５９Ａ、４５９Ｂをバネ４５７に抗して内側に押しながら、保持部材４１５を引く。
【０１８６】
以上により、嵌合固定部材４１７に対し保持部材４１５を着脱自在とすることができる。図４１〜図４３は保持部材４１５の端部に胸ポケット装着用クリップ４５１を取り付けた例である。図４１は、ケース３２７の側面図、図４２は、正面図、図４３は背面図を示す。
【０１８７】
この胸ポケット装着用クリップ４５１を用いて胸のポケットにケース３２７を収納する。このとき、アダプタカメラ３２４は回動させることで人の前方に向くように設定する。嵌合固定部材４１７の取付位置より上方にアダプタカメラ３２４、アダプタマイク３２２及び緊急通報スイッチ３５２を配設したので、これらの素子はポケットの外部に露出されており、撮像や音声の抽出に支障が無い。また、緊急時の操作もし易い。
【０１８８】
次に、図４４〜図４６に保持部材４１５に安全ピン５２１を取り付けた例を示す。図４４は、ケース３２７の背面図、図４５は正面図、図４６は上面図を示す。図４４〜図４６において、保持部材４１５には安全ピン５２１が取り付けられている。そして、この保持部材４１５を嵌合固定部材４１７に装着する。この安全ピン５２１により、衣服や学童の帽子に対しケース３２７を取り付けることができる。帽子では、帽子の前面に取り付けられる他、ケース３２７を９０度回転させれば側方にも取り付け可能である。このとき、アダプタカメラ３２４は回動させることで人の前方に向くように設定する。
【０１８９】
次に、図４７〜図４９に保持部材４１５にベルト固定具５２３を取り付けた例を示す。図４７は、ケース３２７の背面図、図４８は、正面図、図４９は上面図を示す。図４７〜図４９において、保持部材４１５にはベルト固定具５２３が取り付けられている。そして、この保持部材４１５を嵌合固定部材４１７に装着する。ベルト固定具５２３には、ベルト５２５の一端が固着されている。そして、このベルト５２５の他端には内側にマジックテープ（登録商標）５２７Ａが配設されている。ベルト５２５の他端はランドセル等の肩ヒモに対し巻かれた後、ベルト５２５の一端側に配設されたマジックテープ５２７Ｂと接着される。
【０１９０】
このことにより、ランドセル等の肩ヒモにケース３２７を取り付けることができる。このとき、アダプタカメラ３２４は回動させることで人の前方に向くように設定する。
なお、ベルト５２５に代えて紐を備え、首等から吊るすようにされてもよい。
以上により、簡単にケース３２７を耳、衣服、ポケット、鞄等に装着できるため学童等にとって持ち運びされ易い。従って、学童等の安全を確保できる。なお、耳掛けアダプタ３１０、４１０、５１０を単独で用いる場合には、左用、若しくは右用のいずれの構成とされてもよい。
【０１９１】
次に、本発明の第１０実施形態について説明する。本発明の第１０実施形態であるアダプタ収納ケースの構成図を図５０〜図５５に示す。ここに、図５０はアダプタの正面図、図５２は背面図、図５３は上面図、図５４は側面図を示す。また、図５５には、耳掛けアダプタ４１０とアダプタ収納ケース６０１及び携帯電話３００との関係を示す。本発明の第１０実施形態は、学童の安全を一層確保するためにアダプタ収納ケースに警報音を発生させる機能を備えたものである。
【０１９２】
なお、図２７〜図４９と同一要素のものについては同一符号を付して説明は省略する。アダプタ収納ケース６０１は直方体形状であり、内部には上端が開口６０３に連なる凹部が設けられており、この開口６０３より耳掛けアダプタ４１０を凹部の内部に収納自在なようになっている。図５０、図５２、図５３及び図５４は耳掛けアダプタ４１０をアダプタ収納ケース６０１の凹部に収納した様子を示している。
【０１９３】
アダプタ収納ケース６０１の正面壁はＵ字状の切欠き６０５を有している。側部には緊急スイッチ６０７及びスピーカ６０９を備えている。また、底面にはコードを自動で巻き取るための巻取用スイッチ６１１が配設されている。そして、アダプタ収納ケース６０１と耳掛けアダプタ４１０間のコード６１３を巻き取る図示しないリールがアダプタ収納ケース６０１内に内装されている。アダプタ収納ケース６０１の上端にはマイク６１４が配設されている。
【０１９４】
嵌合固定部材６１７、保持部材６１５、胸ポケット装着用クリップ６５１は、それぞれ嵌合固定部材４１７、保持部材４１５、胸ポケット装着用クリップ４５１と同一の機能なので説明を省略する。胸ポケット装着用クリップ６５１により、アダプタ収納ケース６０１を胸のポケットに収納自在なようになっている。また、この胸ポケット装着用クリップ６５１は，他の安全ピンやベルト固定具に取り替えることが可能なようになっている。
【０１９５】
アダプタ収納ケース６０１の切欠き６０５の下端縁には、係止部材６１９がアダプタ収納ケース６０１に対しヒンジ６２１回りに回動自在になっている。係止部材６１９の内側は上端にかけてゆるやかな傾斜面を有し、かつ下端には段差部６２３を有している。図５１に係止部材回りの簡略構造図を示す。係止部材６１９の底面は、モード切替スイッチ６２５の頭部に当接自在なようになっている。そして、このモード切替スイッチ６２５の底面が導電部６２９を押し下げると、この導電部６２９は板バネ状で支点６３１に当接後は湾曲するようになっている。導電部６２９の一端は導電保持材６３３により保持されている。そして、この導電保持材６３３と支点６３１間が接触することで導電保持材６３３と支点６３１間に電気が流れるようになっている。
【０１９６】
なお、係止部材６１９が倒れると導電部６２９は元通りの平板状に復帰するため、導電保持材６３３と支点６３１間の接触は解除されるようになっている。また、アダプタ収納ケース６０１と携帯電話３００間にはコード６３５が配設されている。但し、アダプタ収納ケース６０１と携帯電話３００間、及びアダプタ収納ケース６０１と耳掛けアダプタ４１０間のいずれか少なくとも一方は無線とされてもよい。
【０１９７】
次に、本発明の第１０実施形態の動作を説明する。
耳掛けアダプタ４１０をアダプタ収納ケース６０１の凹部に収納する場合、巻取用スイッチ６１１を押してコードを巻き戻す。そのとき、係止部材６１９を上に引き上げつつ耳掛けアダプタ４１０を凹部に収納する。その後、係止部材６１９を離すと導電部６２９のバネ作用により係止部材６１９は耳掛けアダプタ４１０の開口４１３内に倒される。このことにより、耳掛けアダプタ４１０はアダプタ収納ケース６０１より抜けなくなる。また、このときには、モード切替スイッチ６２５がＯＮされ、導電保持材６３３と支点６３１間が接触することで電気が流れている。
【０１９８】
この状態で、アダプタ収納ケース６０１を胸のポケットに収納する。アダプタカメラ３２４は前方に向ける。モード切替スイッチ６２５がＯＮされることで、マイク６１４とスピーカ６０９とが生かされる。このマイク６１４とスピーカ６０９とを使って相手と会話ができる。また、学童が危険を感じたときに緊急スイッチ６０７を押すと、警報音が生成されスピーカ６０９より吹鳴される。このとき、会話中の相手側に対しても緊急信号が送信され、相手側のアダプタ収納ケース６０１に配設されたスピーカ６０９からもこの緊急信号を受け、緊急を知らせる警報音かアナウンスの発せられることが望ましい。また、この緊急事態であることを相手側の携帯電話３００の画面３６１で表示されるようにしてもよい。この画面３６１には、緊急事態中の学童の氏名とこの学童の現在いる位置がＧＰＳ機能により表示されるようにしてもよい。保護者の電話番号等が表示されてもよい。あるいは、緊急事態の連絡先の電話番号が表示されてもよい。また、同様の内容がセンター側に送信されるようにしてもよい。なお、センター側では、常時この間の情報を取得していることが望ましい。
【０１９９】
もしマイクが動作していない状態の場合にはここで動作する。但し、緊急スイッチ６０７は紐を引くように構成されてもよい。一方、安全システム作動ボタン３６５を事前に押していれば、マイク６１４若しくはマイク３２２が既に動作しているため、そのまま継続してマイクが動作する。アダプタカメラ３２４の動作及び操作方法等は各実施形態と同様であり、特に耳掛けアダプタ４１０を胸ポケット等に付けた場合と同様なので説明を省略する。
【０２００】
耳掛けアダプタ４１０をアダプタ収納ケース６０１から外し、耳に装着する場合には、係止部材６１９を上に引き上げつつ耳掛けアダプタ４１０を凹部より抜き出す。このとき、コード６１３はリールより引き出される。モード切替スイッチ６２５はＯＦＦとなり、このことにより、マイク６１４及びスピーカ６０９は停止され、スピーカ４２０とアダプタマイク３２２とが動作状態となる。但し、緊急通報スイッチ３５２又は緊急スイッチ６０７を操作した場合には、警報音が生成されスピーカ６０９より吹鳴される。
【０２０１】
このことにより、学童は、不審者に声をかけられたときに緊急通報スイッチ３５２又は緊急スイッチ６０７を操作して警報音により不審者を撃退できる。従って、学童等の安全を一層確保できる。
【０２０２】
次に、本発明の実施形態の別例を図５６〜図５８に示す。本別例は、アダプタ収納ケース自体を携帯電話にしたものである。なお、図５０〜図５５と同一要素のものについては同一符号を付して説明は省略する。
図５６には耳掛けアダプタ４１０が収納された携帯電話６００の正面図、図５７には側面図を示し、図５８には、この携帯電話６００を開いたときの様子を示す。
【０２０３】
携帯電話６００はケース６７１とケース６６１とがヒンジ６６３により回動自在に連結されている。ケース６７１にはスピーカと画面３６１とが配設され、ケース６６１にはカメラ３２４用のスイッチ６６５等の操作スイッチ関係が配設されている。ケース６６１の下端には、アダプタ収納ケース６０１と同様に開口６０３より耳掛けアダプタ４１０を凹部の内部に収納自在なようになっている。耳掛けアダプタ４１０を凹部に収納する際には、巻取用スイッチ６１１を押してコードを巻き戻す。一方、耳掛けアダプタ４１０をケース６６１の凹部より抜き出す際にはコード６１３はリールより引き出される。カメラ３２４を手前に向けてスイッチ６６５を操作すれば自分を撮像できる。一方、カメラ３２４を外側に向けて撮像することも可能である。相手と会話をするには、スピーカ６６６に耳を当て音声を聞きながらマイク３２２に向けて話をする。但し、携帯電話カメラ３６３を備えればテレビ電話も可能である。なお、胸ポケット装着用クリップ６５１が邪魔な場合にはこれを外しても良い。
【０２０４】
また、携帯電話６００は折り畳み式とせずにアダプタ収納ケース６０１に対し画面と操作部、スピーカ等を配設するようにされてもよい。この場合、アダプタ収納ケース６０１の正面壁にはＵ字状の切欠き６０５を有さずにこの面に画面と操作部、スピーカ等を配設することが望ましい。
このことにより、学童は、不審者に声をかけられたときに緊急通報スイッチ３５２又は緊急スイッチ６０７を操作して警報音により不審者を撃退できる。従って、学童等の安全を一層確保できる。また、携帯電話６００と耳掛けアダプタ４１０の２部品となり持ち運び安い。一つにまとめて持ち運ぶことも可能なので便利である。
【０２０５】
次に、本発明の実施形態の更なる別例を図５９に示す。本別例は、耳掛けアダプタ５１０を携帯電話の蓋体とし、かつ携帯電話本体である底体６７０とは分離自在としたものである。耳掛け３１８は耳掛けアダプタ５１０より分離自在である。嵌合固定部材４１７は、ケース４２７の外側に配設されるのが望ましい。
なお、図５０〜図５８と同一要素のものについては同一符号を付して説明は省略する。ヒンジ６７３に取り付けられた雄コネクタ６７２Ａを耳掛けアダプタ５１０に配設した雌コネクタ６７２Ｂに対し嵌合すると一つの携帯電話として利用できる。耳掛け３１８は一旦後ろ側に押した状態でコネクタ同士の嵌合を行う。但し、この時点で耳掛け３１８を耳掛けアダプタ５１０から外してもよい。
【０２０６】
会話をする際には、マイク６７５に対し話し、アダプタスピーカ４２９から相手の音声を聞く。カメラ３２４での撮像も可能である。カメラ３２４では自らの撮像もできるし、耳掛け３１８に代えて、胸ポケット装着用クリップ６５１を装着すれば携帯電話を折り畳んだ状態で胸ポケット等に挟み、カメラ３２４を前方に向けて撮像できる。ケーブル６７７は底体６７０において図示しないリールを巻き戻すことで収納可能である。
【０２０７】
耳掛けアダプタ５１０と底体６７０とを分離した状態でマイク３２２に対し話し、アダプタスピーカ４２９から相手の音声を聞くことも可能である。この状態で耳掛けアダプタ５１０を胸等に装着されてもよい。底体６７０側にも携帯電話カメラ３６３を設ければテレビ電話も可能となる。カメラ３２４による景色撮像と携帯電話カメラ３６３による本人撮像との切り換えを可能とするのが望ましい。あるいは、２つの画面を同時に入れ子状に表示できるように構成してもよい。また、ケーブル６７７の引き出し距離に応じてマイク３２２とマイク６７５との切り換えが行われるのが望ましい。この場合には、引き出し距離が短いときにはマイク６７５を生かし、一方、引き出し距離が長いときにはマイク３２２を生かす。但し、ボタン操作でマイクを適宜切り換えられるようにされてもよい。緊急通報スイッチ３５２を押したり、あるいは引いたり等すれば、スピーカ６０９より警報音が鳴り響く。なお、ケーブル６７７を用いずに無線とされてもよい。なお、第９、第１０実施形態では開口４１３を有するものとして説明したが、開口を有さない場合についても同様に適用可能である。
【符号の説明】
【０２０８】
３００、６００ 携帯電話
３１０、４１０、５１０ アダプタ
３１８ 耳掛け
３２２ アダプタマイク
３２４ アダプタカメラ
３２７、４２７ ケース
３５２ 緊急通報スイッチ
３６１ 画面
３６３ 携帯電話カメラ
３６５ 安全システム作動ボタン
４１１ クッション
４１３ 開口
４１５、６１５ 保持部材
４１７、６１７ 嵌合固定部材
４２０、６０９ スピーカ
４２１ 凹部
４２３ 円板状部材
４２５ ヒンジ
４２９ アダプタスピーカ
４３１ ツマミ
４３２ 板状部材
４３３ リミットスイッチ
４３４ 爪孔
４５１、６５１ 胸ポケット装着用クリップ
４５５、４６３ 空洞
４５７ バネ
４５９ フック
４６１ 長孔
５２１ 安全ピン
５２３ ベルト固定具
５２５ ベルト
５２７ マジックテープ
６０１ アダプタ収納ケース
６０７ 緊急スイッチ
６１１ 巻取用スイッチ
６１４、６７５ マイク
６１９ 係止部材
６２１、６６３、６７３ ヒンジ
６２５ モード切替スイッチ
６６５ スイッチ
６７２Ａ、６７２Ｂ コネクタ
【図１】
2011172273.tif 000003
【図２】
2011172273.tif 000004
【図３】
2011172273.tif 000005
【図４】
2011172273.tif 000006
【図５】
2011172273.tif 000007
【図６】
2011172273.tif 000008
【図７】
2011172273.tif 000009
【図８】
2011172273.tif 000010
【図９】
2011172273.tif 000011
【図１０】
2011172273.tif 000012
【図１１】
2011172273.tif 000013
【図１２】
2011172273.tif 000014
【図１３】
2011172273.tif 000015
【図１４】
2011172273.tif 000016
【図１５】
2011172273.tif 000017
【図１６】
2011172273.tif 000018
【図１７】
2011172273.tif 000019
【図１８】
2011172273.tif 000020
【図１９】
2011172273.tif 000021
【図２０】
2011172273.tif 000022
【図２１】
2011172273.tif 000023
【図２２】
2011172273.tif 000024
【図２３】
2011172273.tif 000025
【図２４】
2011172273.tif 000026
【図２５】
2011172273.tif 000027
【図２６】
2011172273.tif 000028
【図２７】
2011172273.tif 000029
【図２８】
2011172273.tif 000030
【図２９】
2011172273.tif 000031
【図３０】
2011172273.tif 000032
【図３１】
2011172273.tif 000033
【図３２】
2011172273.tif 000034
【図３３】
2011172273.tif 000035
【図３４】
2011172273.tif 000036
【図３５】
2011172273.tif 000037
【図３６】
2011172273.tif 000038
【図３７】
2011172273.tif 000039
【図３８】
2011172273.tif 000040
【図３９】
2011172273.tif 000041
【図４０】
2011172273.tif 000042
【図４１】
2011172273.tif 000043
【図４２】
2011172273.tif 000044
【図４３】
2011172273.tif 000045
【図４４】
2011172273.tif 000046
【図４５】
2011172273.tif 000047
【図４６】
2011172273.tif 000048
【図４７】
2011172273.tif 000049
【図４８】
2011172273.tif 000050
【図４９】
2011172273.tif 000051
【図５０】
2011172273.tif 000052
【図５１】
2011172273.tif 000053
【図５２】
2011172273.tif 000054
【図５３】
2011172273.tif 000055
【図５４】
2011172273.tif 000056
【図５５】
2011172273.tif 000057
【図５６】
2011172273.tif 000058
【図５７】
2011172273.tif 000059
【図５８】
2011172273.tif 000060
【図５９】
2011172273.tif 000061
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
犯罪の遭遇時に使用者が身につけつつ撮像した映像をセンターや緊急連絡先等の送信先に送信し保存することで犯罪の遭遇時の様子を記録する携帯システムであって、
取り付け角度調整のための回動機構若しくは広角レンズを有するカメラと、
該カメラが配設されたアダプタと、
前記カメラで撮影された映像データを送信する送信手段を有する携帯電話と、
該送信手段で送信された映像データを送信先で保存する保存手段と、
前記アダプタを前記使用者に装着するアダプタ装着手段とを備え、
前記アダプタが使用者に対して装着されているときに前記カメラで撮像された映像を前記携帯電話に伝送する伝送手段と、
該伝送手段で伝送された映像を前記携帯電話のケース又は前記携帯電話とは独立したケースに配設された画面に表示する表示手段を備え、
該表示手段で表示された映像を基に前記使用者が前記カメラの取り付け角度調整又は前記アダプタの前記使用者に対する取り付け位置の調整が可能で、前記使用者の前方方向の映像が撮像可能であることを特徴とする携帯システム。
【手続補正２】
【補正対象書類名】明細書
【補正対象項目名】０００６
【補正方法】変更
【補正の内容】
【０００６】
このため本発明（請求項１）は、犯罪の遭遇時に使用者が身につけつつ撮像した映像をセンターや緊急連絡先等の送信先に送信し保存することで犯罪の遭遇時の様子を記録する携帯システムであって、取り付け角度調整のための回動機構若しくは広角レンズを有するカメラと、該カメラが配設されたアダプタと、前記カメラで撮影された映像データを送信する送信手段を有する携帯電話と、該送信手段で送信された映像データを送信先で保存する保存手段と、前記アダプタを前記使用者に装着するアダプタ装着手段とを備え、前記アダプタが使用者に対して装着されているときに前記カメラで撮像された映像を前記携帯電話に伝送する伝送手段と、該伝送手段で伝送された映像を前記携帯電話のケース又は前記携帯電話とは独立したケースに配設された画面に表示する表示手段を備え、該表示手段で表示された映像を基に前記使用者が前記カメラの取り付け角度調整又は前記アダプタの前記使用者に対する取り付け位置の調整が可能で、前記使用者の前方方向の映像が撮像可能であることを特徴とする。
また、本発明は、前記携帯電話のケース又は前記携帯電話とは独立して配設されたケースには該ケースを前記使用者に対し装着自在とするケース装着手段を備え、前記アダプタは、前記ケース内に収納及び取り外し自在であり、前記カメラは該ケース内にアダプタが収納されたときに該ケースより露出された位置に配設され、前記アダプタが前記ケース内に収納された状態で前記ケース装着手段により該ケースが使用者に装着されたときに前記カメラは該使用者の前方方向の映像を撮像可能であることを特徴としてもよい。
更に、本発明は、前記携帯電話のケース又は前記携帯電話とは独立したケースに配設されたケーススピーカ及びマイクを備え、該ケーススピーカには耳を当てることなく前記ケースが前記使用者に対し装着された位置から該ケーススピーカを通じて通常の会話ができる程度の音量で相手の声を聞くことができ、前記マイクには直接口元を近づけることなく該マイクを通じて通常の会話ができることを特徴としてもよい。
更に、本発明は、前記アダプタ及び／又は前記ケースに配設された緊急通報用のスイッチを備え、該緊急通報用のスイッチが操作されたとき前記ケーススピーカより警報音が発せられることを特徴としてもよい。
更に、本発明は、前記アダプタ装着手段は前記アダプタの外側面に配設され、該アダプタの内側面にアダプタスピーカを有し、前記携帯電話のケースと前記アダプタとは接続及び取り外しが自在であり、接続したときに前記アダプタスピーカを受話用スピーカとして一つの一体化された携帯電話として機能することを特徴としてもよい。
更に、本発明は、緊急通報用のスイッチを前記アダプタ又は前記携帯電話のケース又は前記携帯電話とは独立して配設されたケースに備え、該緊急通報用のスイッチは、前記アダプタ装着手段又は前記ケース装着手段の上方で前記アダプタ装着手段又は前記ケース装着手段がポケットに装着されたときに該ポケットより露出される位置に配設され、前記緊急通報用のスイッチが操作されたときに警報音を発するケーススピーカを前記ケースに有し、かつ、該ケーススピーカが前記アダプタ装着手段又は前記ケース装着手段の上方で前記アダプタ装着手段又は前記ケース装着手段がポケットに装着されたときに該ポケットより露出される位置に配設されたことを特徴としてもよい。
更に、本発明は、緊急通報用のスイッチを前記アダプタ又は前携帯電話のケース又は前記携帯電話とは独立して配設されたケースに備え、該緊急通報用のスイッチが動作されたときに映像データの新たな更新がされないようにすると共に該映像データの保存時間が延長されることを特徴としてもよい。
また、本発明は、撮影するカメラと、該カメラが配設されたアダプタと、前記カメラで撮影された画像を送信する送信手段と、前記アダプタを耳に装着する耳装着手段とを備え、前記アダプタの外耳道に位置する部分は開放され、外部の音が遮音されないことを特徴とされてもよい。